(57)【特許請求の範囲】
【請求項１】
照明光を複数の色光に分解する色分解手段と、前記複数の色光をそれぞれ変調する複数の画像表示素子と、前記複数の画像表示素子によりそれぞれ変調された前記複数の色光を合成する色合成手段とを有し、カラー画像を投射表示する投射型画像表示装置であって、
前記複数の画像表示素子のうち１つの画像表示素子に入射する色光の光量を変化させる光量変更手段と、
前記複数の画像表示素子の周辺をそれぞれ冷却する複数の冷却手段と、
前記複数の冷却手段のうち少なくとも前記光量変更手段によって入射する色光の光量が変更される前記画像表示素子を冷却する冷却手段を他の冷却手段と独立して制御する制御手段とを有し、
前記制御手段は、前記光量変更手段の動作に応じて、前記独立して制御される冷却手段の制御を変更することを特徴とする投射型画像表示装置。
【請求項２】
前記複数の冷却手段がそれぞれ送風ファンを有して構成され、前記制御手段は、少なくとも前記独立して制御される冷却手段の送風ファンの回転数を他の送風ファンの回転数と異ならせるよう制御することを特徴とする請求項１に記載の投射型画像表示装置。
【請求項３】
前記各画像表示素子の入射側と射出側に偏光素子が配置されており、前記各冷却手段により前記偏光素子も冷却することを特徴とする請求項１又は２に記載の投射型画像表示装置。
【請求項４】
前記色合成手段は複数の光学素子により構成され、前記各冷却手段により前記光学素子を冷却することを特徴とする請求項１から３のいずれか１つに記載の投射型画像表示装置。
【請求項５】
前記色合成手段は複数の光学素子により構成され、該光学素子のうち少なくとも一つの光学素子の容積が他の光学素子の容積と異なる容積であることを特徴とする請求項４に記載の投射型画像表示装置。
【発明の詳細な説明】
【技術分野】
【０００１】  本発明は、画像をスクリーン等に拡大投影する投射型画像表示装置に関するものである。
【背景技術】
【０００２】  液晶プロジェクタとしては、光源から射出された白色光を波長選択性のある誘電体膜によって赤、緑、青の３色に分解し、単色用の液晶素子を３枚用いてそれぞれの画像表示素子（例えば、液晶パネル）を透過させた光をさらに誘電体膜によって合成し、カラー画像を作り出し、投射レンズによってスクリーン等に拡大投影する３板式の液晶プロジェクタが知られている。【０００３】  液晶プロジェクタの光源としては、超高圧水銀ランプなどの高輝度ランプが用いられており、ランプのリフレクタ表面は高温となる。【０００４】  また、液晶パネルも光源からの光に照らされて温度上昇する。液晶パネルでは偏光を用いており、液晶パネルの入射側と射出側には偏光板が対で使用される。【０００５】  偏光板はコストの問題から、フィルムタイプのものが使用されることが多いが、透過率が結晶に比べ悪く、光を熱として吸収しやすい。また、液晶の駆動によって液晶の透過光軸に対して偏波面が回転した光が偏光板を通過する時には、偏光板で偏光が吸収され熱に変わる。【０００６】  このように液晶パネルおよび偏光板で吸収される熱に対しては、外部より冷却を行い、信頼性の保てる温度以下にて使用しないと、熱によって表示コントラストが低下するおそれがある。【０００７】  そこで、図７に示す特許第２８６０９８９号にて開示されているもののように、色合成するためのダイクロイックプリズムの下部に１つの軸流ファンを置き、３色の液晶パネルを同時に冷却する方法や、図８に示す特開平５−５３２００号公報にて提案されているもののように、１つのシロッコファンとそのファンより吸入した外気を３色のパネルに送り込む気室とを設ける方法がある。
【発明が解決しようとする課題】
【０００８】  一般的に、赤、緑、青に分離された光の光量は異なり、また各パネルにおける熱分布も異なる。特許第２８６０９８９号にて開示の方法では、３個のパネルを１つの軸流ファンで冷却しているため、例えばある１つの光路が他の光路に比べて発熱エネルギーが極端に高い場合に、発熱エネルギーが高い光路に合わせてファンの回転速度を設定した場合、他の光路では過剰な冷却となり、冷却の効率という面では不利である。
【０００９】  また、特開平５−５３２００号公報にて提案の方法では、３つの光路においてファンを共用しているので、３色の光路における冷却能力のバランスを考えた流路設計が非常に困難である。
【００１０】  さらに、上記いずれの手法とも、図９に示すように、冷却対象である液晶パネル４５および偏光板４４付近に風を送出する開口部もしくはノズル形状が設けられているが、この開口の大きさやノズルの形状によって、冷却条件および各光路における冷却バランスが大きく変わってしまうため、この開口部の形状等を決定するために実験的な試行錯誤が必要である。
【００１１】  すなわち、開口部を広くとることによって風量が増すが、逆に小さくすると、風量が減少するだけでなく冷却風が送出される面積も減少してしまうという問題等がある。
【００１２】  一方、液晶プロジェクタの高輝度化に伴ってより高い冷却能力が必要とされてきているので、冷却ファンおよび気室が大型化してしまう問題がある。
【００１３】  したがって、装置の小型化や静音化のためには、より効率的に冷却を行うことが必要となっており、各色光路における冷却条件および冷却バランスの決定は非常に重要になってきている。
【００１４】  そこで、本発明は、各色光路に置かれた画像表示素子や偏光板、さらにはプリズム等の光学素子を効率良く冷却することができるようにした投射型画像表示装置を提供することを目的としている。
【課題を解決するための手段】
【００１５】
【課題を解決するための手段】
本発明の一側面としての投射型画像表示装置は、照明光を複数の色光に分解する色分解手段と、前記複数の色光をそれぞれ変調する複数の画像表示素子と、前記複数の画像表示素子によりそれぞれ変調された前記複数の色光を合成する色合成手段とを有し、カラー画像を投射表示する投射型画像表示装置であって、前記複数の画像表示素子のうち１つの画像表示素子に入射する色光の光量を変化させる光量変更手段と、前記複数の画像表示素子の周辺をそれぞれ冷却する複数の冷却手段と、前記複数の冷却手段のうち少なくとも前記光量変更手段によって入射する色光の光量が変更される前記画像表示素子を冷却する冷却手段を他の冷却手段と独立して制御する制御手段とを有し、前記制御手段は、前記光量変更手段の動作に応じて、前記独立して制御される冷却手段の制御を変更することを特徴とする。
【００１８】
具体的には、例えば複数の冷却手段がそれぞれ送風ファンを有して構成されている場合に、少なくとも上記独立して制御される冷却手段の送風ファンの回転数を他の送風ファンの回転数と異らせる。
【００２０】
本発明により、各色光路に配置された画像表示素子やその近傍に配置された偏光板等は、それぞれの色光路に対して必要な冷却条件に合った冷却能力を持つ冷却手段によって冷却されることになる。したがって、色光路ごとに最適な冷却を行うことが可能になり、効率およびバランスの良い冷却を行うことが可能になる。
【発明を実施するための形態】
【００２１】  （第１実施形態）
まず、図２には、本発明の第１実施形態である３板式液晶プロジェクタ（投射型画像表示装置）の光学的構成を示している。また、図１には、上記液晶プロジェクタにおける光変調部〜色合成系〜投射光学系の部分の構成を示している。
【００２２】  これらの図において、１は照明光源であり、例えば高輝度超高圧ランプ、メタルハライドランプ等から構成されている。照明光源１を出た光は、リフレクタ１５により反射され、レンズ２により平行光に変えられて、碁盤の目状に複数のレンズが配置されたフライアイレンズ群３に入射する。
【００２３】  フライアイレンズ群３で集光された照明光束は、偏光変換素子４に入射し、偏光方向が揃えられ。さらにレンズ５によって集光されてミラー６ａで反射される。
【００２４】  ミラー６ａで反射された照明光束は、ダイクロイックミラー７ａ，７ｂによって赤、緑、青の３つの原色光に色分解され、ミラー６ｂ，６ｃ，６ｄおよびレンズ１３，１４ａ，１４ｂ，１４ｃを介してそれぞれ青、緑、赤用の光変調部に入射する。
【００２５】
光変調部は、１／２波長板８ａ，８ｂ，８ｃと、入射側偏光板９ａ，９ｂ，９ｃと、液晶パネル（画像表示素子）１０ａ，１０ｂ，１０ｃと、射出側偏光板１１ａ，１１ｂ，１１ｃとから構成される。
【００２６】
本実施形態では、入射側偏光板９ａ，９ｂ，９ｃの透過光軸および液晶パネル１０ａ，１０ｂ，１０ｃの透過光軸が照明光の入射側から見て垂直方向に設定されているので、ダイクロイックミラー７ａ，７ｂによって反射された光は１／２波長板８ａ，８ｂ，８ｃに入射する。１／２波長板の進相軸および遅相軸は液晶パネル１０ａ，１０ｂ，１０ｃの直線偏光推奨入力方向に対して４５度になるように設定されている。１／２波長板８ａ，８ｂ，８ｃを出た光のうち入射側偏光板９ａ，９ｂ，９ｃを通った光は液晶パネル１０ａ，１０ｂ，１０ｃに入射される。
【００２７】
なお、液晶パネル１０ａ，１０ｂ，１０ｃには、本液晶プロジェクタに対してパーソナルコンピュータやテレビ、ビデオ、ＤＶＤプレーヤ等の画像情報供給装置から供給された画像情報に応じた駆動信号が入力され、これにより供給画像に応じた各色画像が液晶パネル上に形成されることにより、液晶パネルに入射した各色光が変調される。
【００２８】
各色の液晶パネル１０ａ，１０ｂ，１０ｃを射出した光は射出側偏光板１１ａ，１１ｂ，１１ｃを通過し、ダイクロイックプリズム１２によって色合成される。そして色合成された光は投射レンズ１６によってスクリーン１７に拡大投射される。これにより、フルカラーの大きな画像が表示される。
【００２９】
なお、本実施形態で用いているダイクロイックプリズム１２は、直角三角柱状の４つのプリズムを間にＸ字状のダイクロイック膜を介在させて張り合わせて製作したクロスダイクロイックプリズムである。
【００３０】  以上説明した各光学部品は光学ボックス１８に収納されており、光学ボックス１８は本体ケース１９に収納されている。光学ボックス１８は本体ケース１９と一部または全部が一体であってもよい。
【００３１】  光学ボックス１８の下部には、液晶パネル周辺、すなわち液晶パネル１０ａ，１０ｂ，１０ｃと入射側偏光板９ａ，９ｂ，９ｃと射出側偏光板１１ａ，１１ｂ，１１ｃとを冷却するための空気取り入れ穴２１が形成されている。
【００３２】  そして、これら空気取り入れ穴２１の内側には、図１に示すように、液晶パネル１０ａ，１０ｂ，１０ｃと入射側偏光板９ａ，９ｂ，９ｃと射出側偏光板１１ａ，１１ｂ，１１ｃとに冷却風を供給する軸流ファン３４ａ，３４ｂ，３４ｃが３つの色光路ごとに設置されている。
【００３３】
すなわち、青色用の軸流ファン３４ａは、青色光路における入射側偏光板９ａと液晶パネル１０ａと射出側偏光板１１ａに冷却風を供給する。また、緑色用の軸流ファン３４ｂは、緑色光路における入射側偏光板９ｂと液晶パネル１０ｂと射出側偏光板１１ｂに冷却風を供給する。さらに、赤色用の軸流ファン３４ｃは、赤色用の入射側偏光板９ｃと液晶パネル１０ｃと射出側偏光板１１ｃに冷却風を供給する。さらに、プリズム１２と各射出側偏光板１１ａ〜１１ｃとの間にも冷却風が供給され、プリズム１２も冷却される。
【００３４】  ここで、例えば青色光路において偏光板や液晶パネルの温度上昇が他の２つの色光路の偏光板や液晶パネルの温度上昇に比べて大きい場合は、青色用の軸流ファン３４ａとして、他の２つの色光路に置かれたファン３４ｂ，３４ｃとは別の仕様で、風量（風速）が大きいファンを設置することにより、青色光路における偏光板９ａ，１１ａと液晶パネル１０ａとを効果的に冷却することができる。
【００３５】
また、他の冷却ファンも各色光路の偏光板および液晶パネルを適切に冷却するのに必要な冷却条件に最適な冷却能力を持つ仕様に設定することにより、３色光路のいずれをも効率良く冷却することができ、冷却バランスをとることができる。
【００３６】  図１に示すように、入射側偏光板９ａ，９ｂ，９ｃには、この入射側偏光板の温度を測定するための温度センサ３６ａ，３６ｂ，３６ｃが取り付けられている。また、液晶パネル１０ａ，１０ｂ，１０ｃには、この液晶パネルの温度を測定するための温度センサ３７ａ，３７ｂ，３７ｃが取り付けられている。また、クロスダイクロイックプリズム１２にも、このプリズムの温度を測定するための温度センサ３５が取り付けられている。これら温度センサからの信号は制御回路５０に送られ、制御回路５０は、温度センサによる測定温度が所定の設定値を超えたときにファンのモータを駆動する駆動回路５１ａ，５１ｂ，５１ｃに駆動信号を出力して軸流ファン３４ａ，３４ｂ，３４ｃを回転させる。
【００３７】  なお、本実施形態では、いわゆる透過型の液晶パネル１０を用いているが、反射型の液晶パネルもしくはマイクロミラー素子を用いてもよい。
【００３８】
また、上述した実施形態において、射出側偏光板１１ａ，１１ｂ，１１ｃは、クロスダイクロイックプリズム１２から空気間隔を空けて配置してもよく、クロスダイクロイックプリズム１２に直接、貼り付けて設けてもよい。射出側偏光板１１ａ，１１ｂ，１１ｃを、クロスダイクロイックプリズム１２に貼り付けた場合、各ファンからの冷却風は各偏光板１１ａ，１１ｂ，１１ｃおよびクロスダイクロイックプリズム１２にも送られ、入射側偏光板９ａ〜９ｃ、液晶パネル１０ａ〜１０ｃ、射出側偏光板１１ａ〜１１ｃおよびプリズム１２の各部を冷却する。
【００３９】  （第２実施形態）
第１実施形態では、軸流ファンを用いた場合にいて説明したが、図３に示すようなシロッコファンおよびダクトからなる送風構造を色光路ごとに用いてもよい。
【００４０】  この場合、各ダクト２３ａ，２３ｂ，２３ｃの開口部を入射側偏光板９ａ，９ｂ，９ｃ、液晶パネル１０ａ，１０ｂ，１０ｃおよび射出側偏光板１１ａ，１１ｂ，１１ｃに向けてシロッコファン２２ａ，２２ｂ，２２ｃを配置する。
【００４１】  また、ダクト２３ａ，２３ｂ，２３ｃを設けることによって、液晶プロジェクタ内部で、図３に示すように、シロッコファンを寝かして配置することや、ダクトの形状を引き回すことによってファンの位置を容易に変えることができるので、液晶プロジェクタ本体のレイアウトの自由度を上げることができる。
【００４２】
また、シロッコファンは軸流ファンに比べて構造的に静音化が図り易いため、液晶プロジェクタ自体の静音化に有利である。
【００４３】  そして、第１実施形態と同様に、各色光路に必要な冷却条件に合わせて各シロッコファンの仕様（つまりは冷却能力）を変えることによって、色光路ごとに各偏光板、液晶パネルおよびプリズムの最適な冷却を行うことができる。
【００４４】  例えば、冷却条件を変えるためにダクトのみを３色の光路で異なる形状とし、ファンの種類や仕様が同じものを用いることによって製造コストを削減することもできる。
【００４５】  なお、上記第１および第２実施形態では、３つの軸流ファン又は３つのシロッコファンというように同一種類のファンを３つ用いた場合について説明したが、３つの色光路のうち、少なくとも１つの色光路に軸流ファンを用い、他の色光路にシロッコファンおよびダクトを設けてもよい。
【００４６】  また、上記第１および第２実施形態ではいずれも送風機能を持ったファンを用いた場合について説明したが、ペルチェ素子などの熱電交換素子を用いてもよい。
【００４７】  （第３実施形態）
上記３つの色光路にて用いるファンを全く同じもの（同じ仕様のもの）とした場合でも、それらの回転数制御を独立して行うようにすることもできる。
【００４８】
例えば、最も冷却能力が要求される色光路に設けられたファンのモータに対する入力電流又は電圧を、他の光路に設けられたファンのモータに対する入力電流等よりも高めることにより、前者のファンの回転数（つまりは風量）を後者のファンの回転数より高め、色光路ごとに各偏光板、液晶パネルおよびプリズムの最適な冷却を行う。
【００４９】  また、これによれば、最も冷却能力が要求される色光路に設けられたファンの回転数を大きくする一方で、他のファンの回転数を可能な限り低く抑えることにより、静音化も図ることができる。
【００５０】  （第４実施形態）
図２に示した液晶プロジェクタでは、３つの色光路のうち１つの色光路に対して、透過光の波長選択性のあるトリミングフィルタ２０を進退させることにより、表示画像の明るさを変化させることができるようになっている。
【００５１】  トリミングフィルタ２０を退避させて明るさを明るくすることによって、トリミングフィルタ２０を進入させている場合に比べて偏光板、液晶パネルおよびプリズムの温度が上昇するので、冷却能力を上げる必要がある。
【００５２】  図４は、第１実施形態（および第２実施形態）の液晶プロジェクタにトリミングフィルタ２０を設けた場合における制御回路５０の動作を示すフローチャートである。
【００５３】  まず、ステップ２４においてプロジェクタ電源が投入されると、制御回路５０は照明光源１を点灯させるとともに、偏光板および液晶パネルの冷却を開始するためにステップ２５ａ，２５ｂ，２５ｃにおいて各色光路用のファンの駆動回路５１ａ，５１ｂ，５１ｃに初期電圧を入力する。
【００５４】  この電圧値は各液晶パネルおよび偏光板の温度が室温で定常状態になった時の温度が定格温度以下になるようなファン回転数を得る電圧であって、予め測定しておいたものを使用する。
【００５５】
次に、ステップ２６ａ，２６ｂ，２６ｃにおいて、ユーザにより液晶プロジェクタの電源ＯＦＦ信号が入力されたか否かを検知する。ＯＦＦ信号がない場合にはステップ２７ａ，２７ｂ，２７ｃにおいて、ダイクロイックプリズム１２に設けられた温度センサ３５や、各入射側偏光板に設けられた温度センサ３６ａ，３６ｂ，３６ｃおよび液晶パネル付近に設けられた温度センサ３７ａ，３７ｂ，３７ｃによって温度を測定し、環境の変化によるプロジェクタ内部の温度変化を判断する。
【００５６】  そして、ステップ２８ａ，２８ｂ，２８ｃにおいて、温度が設定値よりも上回っている場合は、該当する光路用のファンの駆動回路への入力電圧値を変化させ、ファン回転数を上昇させる。設定温度以下のときはステップ２７ａ，２７ｂ，２７ｃに戻る。
【００５７】  ここで、赤色光路用のファン制御においては、ステップ３０ｃ〜ステップ３１ｃにて、液晶プロジェクタの点灯中に光学系の設定変更を検知した場合、つまりはトリミングフィルタ２０を光路内から退避させて画像全体の明るさを増加させるよう光学設定が変更された場合は、赤色用のファンの駆動回路への入力電圧を高くしてファン回転数を上昇させる。
【００５８】  また、トリミングフィルタが赤色光路内に進入したことを検知した場合は、ファン駆動回路への入力電圧を元の設定値に戻して、ファン回転数を低下させる。
【００５９】  ステップ２６ａ，２６ｂ，２６ｃにおいて、ユーザにより液晶プロジェクタの電源ＯＦＦ信号が入力されたことを検知した場合には、ステップ３２ａ，３２ｂ，３２ｃにおいて照明光源１を消灯し、その後ファンの回転数を一時的に上昇させて、偏光板、液晶パネルおよびプリズムを急速に冷却した後、ステップ３３においてメイン電源をＯＦＦする。
【００６０】  このように液晶プロジェクタの光学系において、各色光路の冷却を独立に制御することによって、静音化を図りながら各色光路の条件にあった最適な冷却を行うことができる。
【００６１】  また、プロジェクタの動作中に各色光路の温度条件が変化しても、温度センサ３５，３６，３７によってファンの駆動制御にフィードバックをかけることによって、動作中に常に最適な冷却を行うことができる。
【００６２】  （第５実施形態）
第１〜４実施形態においては、色合成手段として４つの直角三角柱プリズムを組み合わせたクロスダイクロイックプリズムを用いたが、形の異なるプリズムを３個又は４個張り合わせて構成されるいわゆる３Ｐ又は４Ｐプリズムを用いる場合において、偏光板および液晶パネルを冷却する上で、本発明は都合が良い。
【００６３】  ４Ｐプリズムにおいては、クロスプリズムと比較してプリズム張り合わせ精度をそれほど必要とせず安価で作れることや、張り合わせ面が画面に白スジとなって出てくることが無いなどの利点があるが、クロスプリズムのように偏光板や液晶パネルが９０度のピッチで取り囲んだ位置にない（偏光板や液晶パネルが離れている）ので、軸流ファン１個で均等に冷やすためにはすべての光路の偏光板および液晶パネルを取り囲むような大きな軸流ファンが従来は必要であった。
【００６４】  これに対し、本発明においては、色光路ごとに冷却装置をそれぞれ独立に配置することによって、大きな軸流ファンを使用することなく、かつ効率的に冷却するができる。
【００６５】
また、４Ｐプリズムはそれぞれ異なる形状からなる４個のプリズム同士の間にそれぞれ空気層を設け貼り合わせ、製作している。そのためプリズムの容積が各色光のそれと異なることがある。偏光板をプリズムに貼り付けた構成の場合は偏光板の熱をプリズムが吸収する。このときプリズムの容積の違いによって熱容量が変化する（熱伝導率は同じ）。これにより各色光において冷却条件が異なってくる。同様のことが入射側偏光板についても言え、一般的に入射側偏光板はたとえば熱伝導性の良いサファイア結晶から切り出した板や、中心部の厚い平凸レンズに貼り付けられる。よって偏光板の貼り付けられる光学素子の熱伝導率や容積の違いによっても各色光における冷却条件は異なることがある。このような条件の違いに対して本発明における冷却装置は、各色光ごとに冷却手段である各軸流ファンの駆動を制御することにより、効率良く冷却を行うことができる。
【００６６】
図５には、４Ｐプリズム３９を用いた場合の冷却構造を示している。この図では、軸流ファンを３個用いた場合を示しており、軸流ファン４０ａ，４０ｂ，４０ｃによってそれぞれ入射側偏光板９ａ〜９ｃ、液晶パネル１０ａ〜１０ｃおよび射出側偏光板１１ａ〜１１ｃを冷却している。
【００６７】
なお、この実施形態において、射出側偏光板１１ａ〜１１ｃは、プリズム３９から空気間隔を空けて配置してもよく、射出側偏光板１１ａ〜１１ｃの少なくとも一つをプリズム３９の少なくとも一つの色光用の面に直接、貼り付けて設けてもよい。もちろん、全ての射出側偏光板１１ａ〜１１ｃをプリズム３９に貼り付けた構成としてもよい。射出側偏光板を、プリズム３９に貼り付けた場合、各ファンからの冷却風は各偏光板およびプリズム３９に送られ、入射側偏光板９ａ〜９ｃ、液晶パネル１０ａ〜１０ｃ、射出側偏光板１１ａ〜１１ｃ、プリズム３９の各部を冷却する。
【００６８】  なお、第１実施形態等と共通する構成要素には第１実施形態等と同符号を付して説明に代える。
【００６９】  （第６実施形態）
上記第５実施形態のように４Ｐプリズム（もしくは３Ｐプリズム）を用いる場合でも、軸流ファン４０ａ，４０ｂ，４０ｃに代えてシロッコファン４２ａ，４２ｂ，４２ｃおよびダクト４１ａ，４１ｂ，４１ｃを設けてもよい。
【００７０】  ダクト４１ａ，４１ｂ，４１ｃを設けることにより、液晶プロジェクタ内部で図５に示すようにシロッコファンを寝かして配置することや、ダクトの形状を引き回すことによってファンの位置を容易に変えることができるので、液晶プロジェクタ本体のレイアウトの自由度を上げることができる。
【００７１】  また、シロッコファンは軸流ファン比べ構造的にさらに静音化が図り易いため、液晶プロジェクタ自体の静音化に有利である。
【００７２】  また、各色の冷却条件に合わせてシロッコファンの仕様を変えることによって色光路ごとに最適な冷却を行うことができる。
【００７３】  また、３色の光路のうち、少なくとも１箇所に軸流ファンを用い、他の色にダクトおよびシロッコファンを設けてもよい。また、ペルチェ素子などの熱電交換素子を組み合わせてもよい。
【００７４】  さらに、第５および第６実施形態において、３つのファンを同一種類で同一仕様とし、冷却条件を変えるために３色の光路で異なるファン制御を行うようにしてもよい。これにより、製造コストを削減することができる。
【発明の効果】
【００７５】  以上説明したように、本願第１および第２の発明によれば、各色光路に配置された画像表示素子やその近傍に配置された偏光板等を、それぞれの色光路に対して必要な冷却条件に合った冷却能力を持つ冷却手段によって冷却することができる。したがって、色光路ごとに最適な冷却を行うことができ、効率およびバランスの良い冷却を行うことができる。
【図面の簡単な説明】
【図１】  本発明の第１実施形態である液晶プロジェクタの光変調部、投射光学系および冷却構造の斜視図である。
【図２】  上記液晶プロジェクタの光学的構成を示す平面図である。
【図３】  本発明の第２実施形態である液晶プロジェクタの光変調部、投射光学系および冷却構造の斜視図である。
【図４】  本発明の第４実施形態である液晶プロジェクタの動作を示すフローチャートである。
【図５】  本発明の第５実施形態である液晶プロジェクタの光変調部、投射光学系および冷却構造の斜視図である。
【図６】  本発明の第６実施形態である液晶プロジェクタの光変調部、投射光学系および冷却構造の斜視図である。
【図７】  従来の液晶プロジェクタにおける冷却装置例である。
【図８】  従来の液晶プロジェクタにおける冷却装置例である。
【図９】  従来の液晶プロジェクタにおける冷却装置例である。
【符号の説明】  １  照明光源
２  レンズ
３  フライアイレンズ群
４  偏光変換素子
５  レンズ
６ａ，６ｂ，６ｃ  ミラー
７ａ，７ｂ  ダイクロイックミラー
８ａ，８ｂ，８ｃ  １／２波長板
９ａ，９ｂ，９ｃ  入射側偏光板
１０ａ，１０ｂ，１０ｃ  液晶パネル
１１ａ，１１ｂ，１１ｃ  射出側偏光板
１２  クロスダイクロイックプリズム
１３  リレーレンズ
１４  フィールドレンズ
１５  リフレクタ
１６  投射レンズ
１７  スクリーン
１８  光学ボックス
１９  プロジェクタケース
２０  トリミングフィルタ
２１  空気取入れ穴
２２ａ，２２ｂ，２２ｃ  シロッコファン
２３ａ，２３ｂ，２３ｃ  ダクト
３４ａ，３４ｂ，３４ｃ  軸流ファン
３５  プリズム温度センサ
３６ａ，３６ｂ，３６ｃ  入射側偏光板温度センサ
３７ａ，３７ｂ，３７ｃ  液晶パネル温度センサ
３９    ４Ｐプリズム
４０a,  ４０ｂ, ４０c  軸流ファン
４１a,  ４１b,  ４１c    ダクト
４２a,  ４２b,  ４２c    シロッコファン
４３  プリズム
４４  偏光板
４５  液晶パネル
４６  空気取り入れ穴
５０  制御回路
５１ａ，５１ｂ，５１ｃ  駆動回路
【図１】
0005388394.tif 000002
【図２】
0005388394.tif 000003
【図３】
0005388394.tif 000004
【図４】
0005388394.tif 000005
【図５】
0005388394.tif 000006
【図６】
0005388394.tif 000007
【図７】
0005388394.tif 000008
【図８】
0005388394.tif 000009
【図９】
0005388394.tif 000010